(57)【特許請求の範囲】
【請求項１】
母材に少なくとも黒鉛系炭素素材から剥離されたグラフェン様黒鉛と伝導素材とが分散された複合伝導素材であって、
前記黒鉛系炭素素材は、菱面晶系黒鉛層（３Ｒ）と六方晶系黒鉛層（２Ｈ）とを有し、前記菱面晶系黒鉛層（３Ｒ）と前記六方晶系黒鉛層（２Ｈ）とのＸ線回折法による次の（式１）により定義される割合Ｒａｔｅ（３Ｒ）が３１％以上であることを特徴とする複合伝導素材。
Ｒａｔｅ（３Ｒ）＝Ｐ３／（Ｐ３＋Ｐ４）×１００・・・・（式１）
ここで、
Ｐ３は菱面晶系黒鉛層（３Ｒ）のＸ線回折法による（１０１）面のピーク強度、
Ｐ４は六方晶系黒鉛層（２Ｈ）のＸ線回折法による（１０１）面のピーク強度、
前記グラフェン様黒鉛は、前記黒鉛系炭素素材から一部又は全部が剥離されてなる、前記黒鉛系炭素素材からグラフェンまでの混在物であり、
前記グラフェンは平均サイズが１００ｎｍ以上の結晶であって、かつ層数が１０層以下の薄片状又はシート状のもの
である。
【請求項２】
前記伝導素材は、ひも状、直鎖状、線状又は鱗片状の微粒子であることを特徴とする請求項１に記載の複合伝導素材。
【請求項３】
前記微粒子はアスペクト比が５以上であることを特徴とする請求項２に記載の複合伝導素材。
【請求項４】
前記伝導素材に対する前記黒鉛系炭素素材の重量比は、１／５０以上１０未満であることを特徴とする請求項１又は２に記載の複合伝導素材。
【請求項５】
前記母材は、電池の活物質であることを特徴とする請求項１に記載の複合伝導素材。
【請求項６】
前記活物質は正極の活物質であることを特徴とする請求項５に記載の複合伝導素材。
【請求項７】
前記母材は、ポリマーであることを特徴とする請求項１に記載の複合伝導素材。
【請求項８】
前記母材は、使用時には消滅する材料であることを特徴とする請求項１に記載の複合伝導素材。
【請求項９】
請求項１に記載の前記複合伝導素材を用いたことを特徴とする蓄電デバイス。
【請求項１０】
請求項１に記載の前記複合伝導素材を用いたことを特徴とする導電性分散液。
【請求項１１】
請求項１０に記載の前記導電性分散液を用いて、塗布または印刷されたことを特徴とする導電デバイス。
【請求項１２】
請求項１に記載の前記複合伝導素材を用いたことを特徴とする導電性コンポジット。
【請求項１３】
請求項１に記載の前記複合伝導素材を用いたことを特徴とする熱伝導性コンポジット。
【請求項１４】
母材に少なくとも黒鉛系炭素素材及び伝導素材を混錬するステップを含む複合伝導素材の製造方法であって、
前記黒鉛系炭素素材は、菱面晶系黒鉛層（３Ｒ）と六方晶系黒鉛層（２Ｈ）とを有し、前記菱面晶系黒鉛層（３Ｒ）と前記六方晶系黒鉛層（２Ｈ）とのＸ線回折法による次の（式１）により定義される割合Ｒａｔｅ（３Ｒ）が３１％以上であることを特徴とする複合伝導素材の製造方法。
Ｒａｔｅ（３Ｒ）＝Ｐ３／（Ｐ３＋Ｐ４）×１００・・・・（式１）
ここで、
Ｐ３は菱面晶系黒鉛層（３Ｒ）のＸ線回折法による（１０１）面のピーク強度、
Ｐ４は六方晶系黒鉛層（２Ｈ）のＸ線回折法による（１０１）面のピーク強度
である。
【請求項１５】
前記伝導素材は、ひも状、直鎖状、線状又は鱗片状の微粒子であることを特徴とする請求項１４に記載の複合伝導素材の製造方法。
【請求項１６】
前記微粒子はアスペクト比が５以上であることを特徴とする請求項１４に記載の複合伝導素材の製造方法。
【請求項１７】
前記伝導素材に対する前記黒鉛系炭素素材の重量比は、１／５０以上１０未満であることを特徴とする請求項１４又は１５に記載の複合伝導素材の製造方法。
【発明の詳細な説明】
【技術分野】
【０００１】
本発明は、複合伝導素材体、蓄電デバイス、導電性分散液、導電デバイス、導電性コンポジット及び熱伝導性コンポジット並びに複合伝導素材の製造方法に関する。
【背景技術】
【０００２】
近年、様々な分野で小型軽量化などを目的として、様々なナノマテリアルの添加が研究されている。特に環境や資源の問題で、非金属のナノマテリアルとして、グラフェン、CNT、フラーレン等の炭素素材が注目されている。例えば、現在実用化されているリチウムイオン電池は、活物質そのものの改善により、その容量が向上しつつある。しかしながら、この容量は、理論容量よりも著しく低く、更なる向上が望まれている。
【０００３】
そこで、従来はリチウムイオン電池の導電助剤としてアセチレンブラックが使用されてきたが、近年ではさらに電気伝導性を担保するため、昭和電工株式会社製のカーボンナノファイバー(VGCF(vapor grown carbon fiber)：登録商標）など新たな高伝導体が検討されている。（特許文献１：特開2013-77475号公報）
また、正極活物質に直接、電気伝導体をコーティングし、電池のサイクル特性（繰り返し性能）を改善する方法や、イオン伝導性に着目して、高容量・高出力のリチウムイオン電池を作る方法が検討されている。（特許文献２：特表2013-513904号公報）、（特許文献３：国際公開第2014/115669号）
さらにまた、近年ではリチウムイオン電池の活物質自体のナノ化も研究されている。（非特許文献５）
【先行技術文献】
【特許文献】
【０００４】
【特許文献１】特開2013-77475号公報（[0031]-[0039]）
【特許文献２】特表2013-513904号公報（[0016]）
【特許文献３】国際公開第2014/115669号（[0017]-[0018]）
【特許文献４】国際公開第2014/064432号（第19ページ第4行−第9行）
【非特許文献】
【０００５】
【非特許文献１】黒鉛の研磨に伴う構造変化；著：稲垣道夫、麦島久枝、細川健次；１９７３年２月１日（受理）
【非特許文献２】炭素加熱処理に伴う確率Ｐ１，ＰＡＢＡ，ＰＡＢＣの変化；著：野田稲吉、岩附正明、稲垣道夫；１９６６年９月１６日（受理）
【非特許文献３】Spectroscopic and X-ray diffraction studies on fluid deposited rhombohedral graphite from the Eastern Ghats Mobile Belt, India; G.Parthasarathy, Current Science, Vol.90, No.7, 10 April 2006
【非特許文献４】固体炭素材料の分類と各々の構造的特徴；名古屋工業大学  川崎晋司
【非特許文献５】LiCoO2ナノ粒子の合成 粉砕 (52), 13-18, 2009. ホソカワ粉体技術研究所.（ISSN : 04299051）
【非特許文献６】産総研  チタン並の熱伝導率をもつ単層カーボンナノチューブ/炭素繊維/ゴム複合材料（http://www.aist.go.jp/aist_j/press_release/pr2011/pr20111006/pr20111006.html）
【発明の概要】
【発明が解決しようとする課題】
【０００６】
しかしながら、特許文献２、３、非特許文献５で示されるような方法では容量について根本的な解決策を得られておらず、問題は別の所にあると考える。物質同士に電気などを伝導させるには、電気伝導素材で橋渡しすればよいが、通常、導体と電気伝導素材との接触部には抵抗がある。また、曲面同士では接触面積が少なく、多くは点接触となり、接触抵抗増大の一因となる。つまり、接点が多いほど抵抗が高くなることが考えられる。
これらを、リチウムイオン電池に当てはめると、正極活物質、アセチレンブラック、VGCF等の導電助剤（電気伝導体）は球状又はひも状であり曲面形状であり、かつナノ〜ミクロンサイズのため正極活物質の間に多くの導電助剤が介在しているため、接点が多い。つまり、接触抵抗が原因で理論容量に達しないと考えられる。
上述したように、特許文献１−３、非特許文献５にあっては、いずれも理論容量に達するものではない。
【０００７】
一方、熱伝導においては、カーボンファイバーとCNTを複合することで、低添加量で高熱伝導シートを得ることが提案されている。（非特許文献６）。しかし、この方法は上述と同様に、ひも状の物質同士が、点で接触するため、電気伝導と同じく伝熱抵抗がおこり、それほど高い効果は得られない。
そこで、接触抵抗を軽減し、伝導体の性能を最大限に引き出すことに着眼し、導体、面状物質、且つ柔軟な炭素素材であるグラフェンを用いる研究を行った。
通常、天然黒鉛をそのまま処理をしても、剥離されるグラフェン量が少ないことが問題となっていた。しかし、鋭意研究の結果、材料となる黒鉛に所定の処理を施すことで、グラフェンに剥離しやすく、高濃度又は高分散させることができる黒鉛系炭素素材（グラフェン前駆体）を得た。
このグラフェン前駆体が、超音波や撹拌、混練によって一部又は全部が剥離され、グラフェン前駆体からグラフェンまでの混在物「グラフェン様黒鉛」になる。グラフェン様黒鉛は、グラフェン前駆体の添加量やプロセス時間などによって、サイズ、厚さ等は変化するため、限定はしないが、より薄片化していることが好ましい。
つまり、言い換えれば、既存の撹拌や混練プロセスまたは装置により、グラフェン様黒鉛に剥離・分散し易い黒鉛が黒鉛系炭素素材（グラフェン前駆体）である。
このグラフェン様黒鉛は伝導性に優れるため、高分散すると、例えばリチウムイオン２次電池の正極に用いた場合に理論容量により近づけられることを見出した。
【０００８】
本発明は、このような問題点に着目してなされたもので、伝導性に優れる複合伝導素材体、蓄電デバイス、導電性分散液、導電デバイス、導電性コンポジット及び熱伝導性コンポジット並びに複合伝導素材の製造方法を提供することを目的とする。
【課題を解決するための手段】
【０００９】
前記課題を解決するために、本発明の複合伝導素材は、
母材に少なくとも黒鉛系炭素素材から剥離されたグラフェン様黒鉛と伝導素材とが分散された複合伝導素材であって、
前記黒鉛系炭素素材は、菱面晶系黒鉛層（３Ｒ）と六方晶系黒鉛層（２Ｈ）とを有し、前記菱面晶系黒鉛層（３Ｒ）と前記六方晶系黒鉛層（２Ｈ）とのＸ線回折法による次の（式１）により定義される割合Ｒａｔｅ（３Ｒ）が３１％以上であることを特徴としている。
Ｒａｔｅ（３Ｒ）＝Ｐ３／（Ｐ３＋Ｐ４）×１００・・・・（式１）
ここで、
Ｐ３は菱面晶系黒鉛層（３Ｒ）のＸ線回折法による（１０１）面のピーク強度
Ｐ４は六方晶系黒鉛層（２Ｈ）のＸ線回折法による（１０１）面のピーク強度
である。
この特徴によれば、複合素材は伝導性に優れる。これは、黒鉛系炭素素材から剥離されたグラフェン様黒鉛が薄い状態で存在するため、グラフェン様黒鉛が母材や伝導素材に多くの箇所で接触することに起因すると推察される。また、この接触はグラフェン様黒鉛が薄く変形し易いため、面による接触を形成することにも起因すると推察される。
【００１０】
前記伝導素材は、ひも状、直鎖状、線状又は鱗片状の微粒子であることを特徴としている。
この特徴によれば、微粒子の周りにグラフェン様黒鉛が存在するため、微粒子の有する伝導性を十分に発揮させられる。
【００１１】
前記微粒子はアスペクト比が５以上であることを特徴としている。
この特徴によれば、さらに微粒子の有する伝導性を十分に発揮させられる。
【００１２】
前記伝導素材に対する前記黒鉛系炭素素材の重量比は、１／５０以上１０未満であることを特徴としている。
この特徴によれば、微粒子の有する伝導性を効率的に発揮させられる。
【００１３】
前記母材は、電池の活物質であることを特徴としている。
この特徴によれば、充放電特性に優れる電極を得ることができる。
【００１４】
前記活物質は正極の活物質であることを特徴としている。
この特徴によれば、充放電特性に優れる正極を得ることができる。
【００１５】
前記母材は、ポリマーであることを特徴としている。
この特徴によれば、電気、熱、イオンの伝導性に優れる複合伝導素材を得ることができる。
【００１６】
前記母材は、気化などにより消滅する材料であることを特徴としている。
この特徴によれば、母材を用いてグラフェン様黒鉛を分散させ、その後母材を消滅させることにより、グラフェン様黒鉛が伝導素材に均しく分散させることができる。
【００１７】
一次電池、二次電池、キャパシタなどの蓄電デバイスに前記複合伝導素材を用いたことを特徴としている。
この特徴によれば、蓄電性に優れた蓄電デバイスを得ることができる。
【００１８】
導電性インク、導電性ペースト、導電性スラリーなどの導電性分散液は、前記複合伝導素材を用いたことを特徴としている。
この特徴によれば、導電性に優れる導電性分散液を得ることができる。
【００１９】
透明電極、透明導電フィルム、導電回路、基板などの導電デバイスは、前記導電性分散液を用いて、塗布または印刷されたことを特徴としている。
この特徴によれば、導電性に優れる導電デバイスを得ることができる。
【００２０】
帯電、静電防止、電磁波遮断などの導電性コンポジットに前記複合伝導素材を用いたことを特徴としている。
この特徴によれば、導電性に優れた導電性コンポジットを得ることができる。
【００２１】
ヒートシンク、放熱グリスなどの熱伝導性コンポジットに前記複合伝導素材を用いたことを特徴としている。
この特徴によれば、伝熱特性に優れた熱伝導性コンポジットを得ることができる。
また、母材に少なくとも黒鉛系炭素素材及び伝導素材を混錬するステップを含む複合伝導素材の製造方法であって、
前記黒鉛系炭素素材は、菱面晶系黒鉛層（３Ｒ）と六方晶系黒鉛層（２Ｈ）とを有し、前記菱面晶系黒鉛層（３Ｒ）と前記六方晶系黒鉛層（２Ｈ）とのＸ線回折法による次の（式１）により定義される割合Ｒａｔｅ（３Ｒ）が３１％以上であることを特徴としている。
Ｒａｔｅ（３Ｒ）＝Ｐ３／（Ｐ３＋Ｐ４）×１００・・・・（式１）
ここで、
Ｐ３は菱面晶系黒鉛層（３Ｒ）のＸ線回折法による（１０１）面のピーク強度、
Ｐ４は六方晶系黒鉛層（２Ｈ）のＸ線回折法による（１０１）面のピーク強度
である。
【図面の簡単な説明】
【００２２】
【図１】黒鉛の結晶構造を示す図であり、（ａ）は六方晶、（ｂ）は菱面体晶の結晶構造である。
【図２】一般的な天然黒鉛のＸ線回折プロファイルを示す図である。
【図３】実施例１のジェットミルとプラズマとを用いた製造装置Ａを説明する図である。
【図４】実施例１のボールミルとマグネトロンとを用いた製造装置Ｂを説明する図であり、（ａ）は粉砕する状態を説明する図、（ｂ）は黒鉛系炭素素材（前駆体を）収集する状態を説明する図である。
【図５】実施例１の製造装置Ｂにより製造された試料５の黒鉛系炭素素材のＸ線回折プロファイルを示す図である。
【図６】実施例１の製造装置Ａにより製造された試料６の黒鉛系炭素素材のＸ線回折プロファイルを示す図である。
【図７】比較例を示す試料１の黒鉛系炭素素材のＸ線回折プロファイルを示す図である。
【図８】黒鉛系炭素素材を前駆体として用いて分散液を作成する分散液作成装置を示す図である。
【図９】比較例を示す試料１と実施例１の製造装置Ｂにより製造された試料５の黒鉛系炭素素材を用いて作成した分散液の分散状態を示す図である。
【図１０】分散液に分散された黒鉛系炭素素材（グラフェン）のＴＥＭ撮像図である。
【図１１】試料５の黒鉛系炭素素材（前駆体）を用いて作成した分散液に分散された黒鉛系炭素素材の分布状態を示す図であり、（ａ）は平均サイズの分布、（ｂ）は層数の分布を示す図である。
【図１２】比較例を示す試料１の黒鉛系炭素素材を用いて作成した分散液に分散された黒鉛系炭素素材の分布状態を示す図であり、（ａ）は平均サイズの分布、（ｂ）は層数の分布を示す図である。
【図１３】試料１−７を前駆体として用いて作成した分散液に分散された黒鉛系炭素素材の層数の分布を示す図である。
【図１４】分散液に分散された菱面体晶の含有率に対する１０層以下のグラフェンの割合を示す図である。
【図１５】実施例２の試料５の黒鉛系炭素素材（前駆体）を用いて分散液を作成する条件を変えた場合の黒鉛の分布状態を示す図であり、（ａ）は超音波処理とマイクロ波処理を併用した場合の分布、（ｂ）は超音波処理をした場合の層数の分布を示す図である。
【図１６】実施例３の黒鉛系炭素素材を導電性インクに分散させたときの抵抗値を示す図である。
【図１７】実施例４の黒鉛系炭素素材を樹脂に混練したときの引張強さを示す図である。
【図１８】実施例５の黒鉛系炭素素材を樹脂に混練したときの引張強さを示す図である。
【図１９】実施例５における分散状態を補足的に説明するため、Ｎ−メチルピロリドン（ＮＭＰ）に分散させた分散液の黒鉛炭素系素材の分布状態を示す図であり、（ａ）は試料１２の分布状態、（ｂ）は試料２の分布状態を示す図である。
【図２０】実施例６のリチウムイオン二次電池の充放電特性を示すグラフ、（ａ）は実施例６−１〜６−３、比較例６−１〜６−２を示すグラフ、（ｂ）は比較例６−３を示すグラフである。
【図２１】実施例６におけるリチウムイオン二次電池の正極を示す概念図である。
【図２２】グラフェン前駆体のＳＥＭ撮像図（平面図）である。
【図２３】グラフェン前駆体のＳＥＭ撮像図（側面図）である。
【図２４】実施例７のカーボンナノチューブを添加した場合の、リチウムイオン二次電池の充放電特性を示すグラフである。
【図２５】実施例８のグラフェン前駆体の混合比率を変えたリチウムイオン二次電池の充放電特性を示すグラフである。
【図２６】グラフェン様黒鉛が分散された樹脂のＳＥＭ撮像図（断面図）である。
【図２７】図２６におけるグラフェン様黒鉛の側ＳＥＭ撮像図（側面図）である。
【図２８】実施例１１の伝導素材の形状、（ａ）はアセチレンブラックの形状、（ｂ）はカーボンファイバーの形状、（ｃ）は金属粒子の形状を説明するための模式図である。
【発明を実施するための形態】
【００２３】
本発明は、黒鉛の結晶構造に着目したものであり、この結晶構造に関連する事項を先ず説明する。天然黒鉛は層の重なり方によって六方晶、菱面体晶及び無秩序の３種類の結晶構造に区別されることが知られている。図１に示されるように、六方晶は、層がＡＢＡＢＡＢ・・の順に積層された結晶構造であり、菱面体晶は層がＡＢＣＡＢＣＡＢＣ・・の順に積層された結晶構造である。
【００２４】
天然黒鉛は、発掘された段階では菱面体晶が殆ど存在しないが、精製段階で破砕など行われるため、一般的な天然黒鉛系炭素素材中には、菱面体晶が１４％程度存在する。また、精製時における破砕を長時間行っても、菱面体晶の比率は３０％程度で収束することが知られている（非特許文献１、２）。
また、破砕などの物理的力以外でも加熱によって黒鉛を膨張させて薄片化する方法も知られているが、黒鉛に１６００Ｋ（摂氏約１３００度）の熱をかけて処理を行っても菱面体晶の比率は２５％程度である。（非特許文献３）。更に超高温の摂氏３０００度の熱をかけても３０％程度までとなっている（非特許文献２）。
このように、天然黒鉛を物理的力や熱によって処理することで、菱面体晶の比率を増加させることが可能であるがその上限は３０％程度である。
【００２５】
天然黒鉛に多く含まれる、六方晶（２Ｈ）は非常に安定的で、そのグラフェン同士の層間のファンデルワールス力は、（式３）で示される（特許文献４）。この力を超えるエネルギーを与えることでグラフェンが剥離する。剥離に必要なエネルギーは厚さの３乗に反比例するため、層が無数に重なった厚い状態では非常に微弱で超音波などの弱い物理的な力でグラフェンは剥離するが、ある程度薄い黒鉛から剥離する場合には非常に大きなエネルギーが必要となる。つまり、黒鉛を長時間処理しても、表面の弱い部分のみが剥離し、大部分は剥離されないままになる。
【００２６】
Ｆｖｄｗ＝Ｈ・Ａ／（６π・ｔ３）        ・・・・（式３）
Ｆｖｄｗ：ファンデルワールス力
Ｈ      ：Ｈａｍａｋｅｒ定数
Ａ      ：黒鉛又はグラフェンの表面積
ｔ      ：黒鉛又はグラフェンの厚み
【００２７】
本願の発明者らは、天然黒鉛に下記に示すような所定の処理を施すことで、粉砕や超高温に加熱する処理では３０％程度までしか増えない菱面体晶（３Ｒ）の割合を、それ以上まで増加させることに成功した。黒鉛系炭素材料の菱面体晶（３Ｒ）の含有率がより多くなると、特に３１％以上の含有率であると、この黒鉛系炭素素材を前駆体として用いることで、グラフェンに剥離しやすくなる傾向があり、簡単に高濃度、高分散度されたグラフェン溶液などが得られることが実験・研究の結果として知見として得られた。これは、菱面体晶（３Ｒ）にせん断などの力が加わった際に、層間に歪みが生じ、つまり黒鉛の構造全体の歪みが大きくなり、ファンデルワールス力に依存せずに、剥離しやすくなるためであると考えられる。このため、本発明においては、天然黒鉛に所定の処理を施すことでグラフェンが剥離しやすく、グラフェンを高濃度又は高分散させることができる黒鉛系炭素素材をグラフェン前駆体と呼び、以下、後述の実施例において、所定の処理を示すグラフェン前駆体の製造方法、グラフェン前駆体の結晶構造、グラフェン前駆体を用いたグラフェン分散液の順に説明する。
【００２８】
ここで、本明細書においてグラフェンは、平均サイズが１００ｎｍ以上の結晶であって平均サイズが数ｎｍ〜数十ｎｍの微結晶ではなく、かつ層数が１０層以下の薄片状又はシート状のグラフェンをいう。
なお、グラフェンは平均サイズが１００ｎｍ以上の結晶であるため、天然黒鉛以外の非晶質（微結晶）炭素素材である、人造黒鉛、カーボンブラックは、これらを処理してもグラフェンは得られない（非特許文献４）。
また、本明細書において、グラフェン複合体は、本発明に係るグラフェン前駆体として用いられる黒鉛系炭素素材、すなわちＲａｔｅ（３Ｒ）が３１％以上の黒鉛系炭素素材（例えば後述する実施例１の試料２−７、実施例５の試料２、２１・・・）を用いて作成した複合体を意味する。
【００２９】
以下、本発明に係る複合伝導素材体、蓄電デバイス、導電性分散液、導電デバイス、導電性コンポジット及び熱伝導性コンポジットを実施するための実施例を説明する。
【実施例１】
【００３０】
＜グラフェン前駆体として用いられる黒鉛系炭素素材の製造について＞
図３に示されるジェットミルとプラズマとを用いた製造装置Ａにより、グラフェン前駆体として用いられる黒鉛系炭素素材を得る方法について説明する。製造装置Ａは、電波的力による処理としてプラズマを施し、また、物理的力による処理としてジェットミルを用いた場合を例にしている。
【００３１】
図３において、符号１は５ｍｍ以下の粒子の天然黒鉛材料（日本黒鉛工業製  鱗片状黒鉛ACB-50）、２は天然黒鉛材料１を収容するホッパー、３はホッパー２から天然黒鉛材料１を噴射するベンチュリーノズル、４はコンプレッサ５から８箇所に分けて圧送された空気を噴射させて天然黒鉛材料をジェット噴流によりチャンバ内に衝突させるジェットミル、７はタンク６から酸素、アルゴン、窒素、水素などのガス９をノズル８から噴射させるとともに、ノズル８の外周に巻回されたコイル１１に高圧電源１０から電圧を付与し、ジェットミル４のチャンバ内でプラズマを発生させるプラズマ発生装置であり、チャンバ内に４カ所に設けてある。１３はジェットミル４と集塵器１４とを接続する配管、１４は集塵器、１５は収集容器、１６は黒鉛系炭素素材（グラフェン前駆体）、１７はブロアである。
【００３２】
次に製造方法について説明する。ジェットミル及びプラズマの条件は次のとおりである。
ジェットミルの条件は次のとおりである。
圧力  ：  ０．５ＭＰａ
風量  ：  ２．８ｍ３／ｍｉｎ
ノズル内直径  ：１２ｍｍ
流速  ：  約４１０ｍ／ｓ
プラズマの条件は次のとおりである。
出力  ：  １５Ｗ
電圧  ：  ８ｋＶ
ガス種  ：  Ａｒ（純度９９．９９９Ｖｏｌ％）
ガス流量：  ５Ｌ／ｍｉｎ
【００３３】
ベンチュリーノズル３よりジェットミル４のチャンバ内に投入された天然黒鉛材料１は、チャンバ内で音速以上に加速され、天然黒鉛材料１同士や壁にぶつかる衝撃で粉砕されると同時に、プラズマ１２が天然黒鉛材料１に対して放電や励起することで、原子（電子）に直接作用し、結晶の歪みを増し粉砕を促すと考えられる。天然黒鉛材料１はある程度の粒径（１〜１０μｍ程度）まで微粉になると、質量が減り、遠心力が弱まることで、チャンバの中心に接続された配管１３から吸い出される。
【００３４】
配管１３から集塵器１４のチャンバの円筒容器に流入された黒鉛系炭素素材（グラフェン前駆体）が混在した気体は旋回流となって、容器内壁に衝突した黒鉛系炭素素材１６を下方の収集容器１５に落下させるとともに、チャンバの下方のテーパ容器部によってチャンバの中心に上昇気流が発生し気体はブロワ１７から排気される（所謂サイクロン作用）。本実施例における製造装置Ａによれば、原料となる１ｋｇの天然黒鉛材料１から約８００ｇのグラフェン前駆体として用いられる黒鉛系炭素素材（グラフェン前駆体）１６を得た（回収効率：８割程度）。
【００３５】
次に、図４に示されるボールミルとマイクロ波とを用いた製造装置Ｂにより、グラフェン前駆体として用いられる黒鉛系炭素素材を得る方法について説明する。製造装置Ｂは、電波的力による処理としてマイクロ波を施し、また、物理的力による処理としてボールミルを用いた場合を例にしている。
【００３６】
図４（ａ）及び（ｂ）において、符号２０はボールミル、２１はマイクロ波発生装置（マグネトロン）、２２は導波管、２３はマイクロ波流入口、２４はメディア、２５は５ｍｍ以下の粒子の天然黒鉛材料（日本黒鉛工業製  鱗片状黒鉛  ACB-50）、２６は収集容器、２７はフィルタ、２８は黒鉛系炭素素材（グラフェン前駆体）である。
【００３７】
次に製造方法について説明する。ボールミル及びマイクロ波発生装置の条件は次のとおりである。
ボールミルの条件は次のとおりである。
回転数  ：  ３０ｒｐｍ
メディアサイズ：  φ５ｍｍ
メディア種  ：  ジルコニアボール
粉砕時間  ：  ３時間
マイクロ波発生装置（マグネトロン）の条件は次のとおりである。
出力  ：  ３００Ｗ
周波数  ：  ２．４５ＧＨｚ
照射方法  ：  断続的
【００３８】
ボールミル２０のチャンバ内に１ｋｇの天然黒鉛系炭素原料２５と、８００ｇのメディア２４を投入し、チャンバを閉じ３０ｒｐｍの回転数で３時間処理する。この処理中にチャンバにマイクロ波を断続的（１０分おきに２０秒）に照射する。このマイクロ波の照射により、原料の原子（電子）に直接作用し、結晶の歪みを増やすと考えられる。処理後、フィルタ２７でメディア２４を取り除くことで、１０μｍ程度の粉体の黒鉛系炭素素材（前駆体）２８を収集容器２６に収集することができる。
【００３９】
＜黒鉛系炭素素材（前駆体）のＸ線回折プロファイルについて＞
図５−図７を参照して、製造装置Ａ、Ｂにより製造された黒鉛系天然材料（試料６、試料５）及び製造装置Ｂのボールミルのみを用いて得た１０μｍ程度の粉体の黒鉛系天然材料（試料１:比較例）のＸ線回折プロファイルと結晶構造について説明する。
Ｘ線回折装置の測定条件は次のとおりである。
線源      ：  Cu Kα線
走査速度  ：  20°/min
管電圧    ：  40kV
管電流    ：  30mA
各試料は、Ｘ線回折法（リガク社製試料水平型多目的Ｘ線回折装置 Ultima IV）によれば、それぞれ六方晶２Ｈの面（１００）、面（００２）、面（１０１）、及び菱面体晶３Ｒの面（１０１）にピーク強度Ｐ１，Ｐ２，Ｐ３，Ｐ４を示すことからこれらについて説明する。
ここで、Ｘ線回折プロファイルの測定は、近年では国内外を問わずいわゆる標準化された値が用いられている。当該、リガク社製試料水平型多目的Ｘ線回折装置 Ultima IVは、Ｘ線回折プロファイルを、JIS R 7651:2007「炭素材料の格子定数及び結晶子の大きさ測定方法」に準拠して測定可能な装置である。なお、Ｒａｔｅ（３Ｒ）は、Ｒａｔｅ（３Ｒ）＝Ｐ３／（Ｐ３＋Ｐ４）×１００で求められる回折強度の比であり、回折強度の値が変化しても、Ｒａｔｅ（３Ｒ）の値が変化するものではない。つまり、回折強度の比は規格化されており、絶対値で物質の同定を行うのを回避するために一般に用いられおり、その値が測定装置に依存することはない。
【００４０】
ボールミルによる処理とマイクロ波処理を施す製造装置Ｂにより製造された試料５は、図５及び表１に示されるように、ピーク強度Ｐ３やピーク強度Ｐ１の強度の割合が高く、Ｐ３のＰ３とＰ４の和に対する割合を示す（式１）で定義されるＲａｔｅ（３Ｒ）が４６％であった。また、強度比Ｐ１／Ｐ２は０．０１２であった。
Ｒａｔｅ（３Ｒ）＝Ｐ３／（Ｐ３＋Ｐ４）×１００・・・・（式１）
ここで、
Ｐ１は六方晶系黒鉛層（２Ｈ）のＸ線回折法による（１００）面のピーク強度
Ｐ２は六方晶系黒鉛層（２Ｈ）のＸ線回折法による（００２）面のピーク強度
Ｐ３は菱面晶系黒鉛層（３Ｒ）のＸ線回折法による（１０１）面のピーク強度
Ｐ４は六方晶系黒鉛層（２Ｈ）のＸ線回折法による（１０１）面のピーク強度
である。
【００４１】
【表１】
0005777195.tif 000002
【００４２】
同様に、ジェットミルによる処理とプラズマによる処理を施す製造装置Ａにより製造された試料６は、図６及び表２に示されるように、ピーク強度Ｐ３やピーク強度Ｐ１の強度の割合が高く、Ｒａｔｅ（３Ｒ）が５１％であった。また、強度比Ｐ１／Ｐ２は０．０１４であった。
【００４３】
【表２】
0005777195.tif 000003
【００４４】
また、ボールミルのみにより製造された比較例を示す試料１は、図７及び表３に示されるように、ピーク強度Ｐ３は試料５、６に比較してその割合が小さく、Ｒａｔｅ（３Ｒ）は２３％であった。また、強度比Ｐ１／Ｐ２は０．００８であった。
【００４５】
【表３】
0005777195.tif 000004
【００４６】
このように、実施例１の製造装置Ｂにより製造された試料５、実施例１の製造装置Ａにより製造された試料６では、Ｒａｔｅ（３Ｒ）が、４６％、５１％となり、図２に示す天然黒鉛や、比較例を示す試料１に比較して、４０％以上または５０％以上となることが示された。
次に、上述で製造されたグラフェン前駆体を用いて、グラフェン分散液を作成し、グラフェンの剥離し易さを比較した。
【００４７】
＜グラフェン分散液について＞
グラフェン分散液の作成方法について図８を参照して説明する。図８においては、グラフェン分散液を作成する際に、液中にて超音波処理とマイクロ波処理とを併用する場合を例にしている。
（１）ビーカー４０にグラフェン前駆体として用いられる黒鉛系炭素素材０．２ｇと分散液であるＮ−メチルピロリドン（ＮＭＰ）２００ｍｌを入れる。
（２）ビーカー４０をマイクロ波発生装置４３のチャンバ４２に入れ、上方から超音波ホーン４４の超音波の振動子４４Ａを分散液４１に挿入する。
（３）超音波ホーン４４を作動させ２０ｋＨｚ（１００Ｗ）の超音波を連続的に３時間付与する。
（４）上記超音波ホーン４４を作動させている間に、マイクロ波発生装置４３を作動させマイクロ波２．４５ＧＨｚ（３００Ｗ）を断続的（５分おきに１０秒照射）に付与する。
【００４８】
図９は上述のようにして作成されたグラフェン分散液が２４時間経過した様子である。
製造装置Ｂにより製造された試料５を用いたグラフェン分散液３０は一部沈殿しているものの全体が黒色を呈するものが確認された。これは、グラフェン前駆体として用いた黒鉛系炭素素材の多くがグラフェンに剥離した状態で分散していると考えられる。
比較例を示す試料１を用いた分散液３１は黒鉛系炭素素材のほとんどが沈殿しており、一部が上澄み液として浮いていることが確認された。このことから、ごく一部がグラフェンに剥離し、上澄みとして浮いていると考えられる。
【００４９】
また、上述のようにして作成されたグラフェン分散液を試料台（ＴＥＭグリッド）の上に観察可能な濃度に希釈・塗布し、乾燥させて、透過型電子顕微鏡（ＴＥＭ）の図１０に示すような撮像画からグラフェンのサイズと層数を観察した。なお、試料１については上澄みを希釈・塗布したものを用いた。例えば、図１０の場合、図１０（ａ）からサイズはフレーク３３の最大の長さＬであり約６００ｎｍ、図１０（ｂ）から層数はフレーク３３の端面を観察しグラフェン層の重なりをカウントし６層（符号３４が指す領域）として求めた。このように各フレーク（フレーク数をＮとする）のサイズと層数を測定して、図１１、図１２に示すグラフェン層数と大きさを求めた。
【００５０】
図１１（ａ）を参照し、実施例１の製造装置Ｂにより製造された試料５（Ｒａｔｅ（Ｒ３）が４６％）のグラフェン分散液に含まれた薄片状のフレークの粒度分布（サイズの分布）は、０．５μｍをピークとする分布であった。また、図１１（ｂ）において、層数は、３層をピークとし、１０層以下のグラフェンが６８％となる分布であった。
図１２を参照して、比較例の試料１（Ｒａｔｅ（Ｒ３）が２３％）の分散液に含まれた薄片状のフレークの粒度分布（サイズの分布）は、０．９μｍをピークとする分布であった。また、層数は、３０層以上のものが大部分を占め、１０層以下のグラフェンが１０％となる分布であった。
この結果から、製造装置Ｂにより製造された試料５のものは、グラフェン前駆体として用いた場合に、１０層以下のグラフェンが多く、グラフェンの分散性に優れ、かつ、高濃度のグラフェン分散液を得られることが分った。
【００５１】
次に、図１３を参照して、グラフェン前駆体の割合Ｒａｔｅ（３Ｒ）とグラフェン分散液における層数の関係について説明する。図１３における、試料１、５、６は上述したものである。試料２、３、４は、ボールミルによる処理とマイクロ波処理とを施す製造装置Ｂで製造したものであり、試料５よりもマイクロ波の照射時間を短くして製造したグラフェン前駆体を用いてグラフェン分散液を作成したものである。また、試料７はジェットミルによる処理とプラズマ処理とを施す製造装置Ａで製造したものであり、試料６よりも高出力のプラズマを与えて製造したグラフェン前駆体を用いてグラフェン分散液を作成したものである。
【００５２】
図１３から、Ｒａｔｅ（３Ｒ）が３１％及び３８％の試料２及び３は、層数の分布の形状が１３層前後にピークを有する正規分布に近い形状（試料２、３を用いた分散液）である。Ｒａｔｅ（３Ｒ）が４０％以上の試料４−７は、層数の分布の形状が数層（薄いグラフェン）の部分にピークを有する所謂対数正規分布の形状である。一方、Ｒａｔｅ（３Ｒ）が２３％の試料１は、層数が３０層以上の部分にピークを有する形状（試料１を用いた分散液）である。すなわち、Ｒａｔｅ（３Ｒ）が３１％以上となると、層数の分布の形状が３１％未満と異なり、更にＲａｔｅ（３Ｒ）が４０％以上となると、層数の分布の形状が４０％未満とは明らかに異なる傾向となることが分かる。また、１０層以下のグラフェンの割合は、試料３を用いた分散液のＲａｔｅ（３Ｒ）が３８％であるのに対し、試料４を用いた分散液のＲａｔｅ（３Ｒ）が６２％であり、Ｒａｔｅ（３Ｒ）が４０％以上となると、１０層以下のグラフェンの割合が急増していることが分かる。
【００５３】
これらのことから、Ｒａｔｅ（３Ｒ）が３１％以上の場合に１０層以下のグラフェンに剥離しやすくなり、さらに、Ｒａｔｅ（３Ｒ）が４０％、５０％、６０％と多くなるにつれ、１０層以下のグラフェンにさらに剥離し易くなると考えられる。また、強度比Ｐ１／Ｐ２について着目すると、試料２−試料７は、比較的狭い０．０１２〜０．０１６の範囲内の値となっており、結晶構造にゆがみが生じグラフェンに剥離しやすいと考えられる０．０１を超えるからいずれも好ましい。
【００５４】
さらにＲａｔｅ（３Ｒ）と１０層以下のグラフェンが含まれる割合との対比を行った結果を図１４に示す。図１４を参照すると、Ｒａｔｅ（３Ｒ）は、２５％以上となると３１％付近から１０層以下のグラフェンが増加し始め（右肩上がりの傾きとなり）、また４０％前後において、１０層以下のグラフェンが急増し（１０層以下のグラフェンの割合は、試料３を用いた分散液のＲａｔｅ（３Ｒ）が３８％であるのに対し、試料４を用いた分散液のＲａｔｅ（３Ｒ）が６２％であり、Ｒａｔｅ（３Ｒ）が４％増えることにより１０層以下のグラフェンの割合は２４％増えるように急増し）かつ全体に占める１０層以下のグラフェンが５０％以上となることが判明した。なお、図１４中の黒四角の点は各々異なる試料であり、上述した試料１−７と、それ以外の他の試料も含まれている。
【００５５】
このことから、Ｒａｔｅ（３Ｒ）が３１％以上の試料をグラフェン前駆体として用いてグラフェン分散液を作成すると、１０層以下のグラフェンが分散される割合が増加し始め、さらにＲａｔｅ（３Ｒ）が４０％以上の試料をグラフェン前駆体として用いてグラフェン分散液を作成すると、１０層以下のグラフェンが５０％以上生成される。すなわち、グラフェンが高濃度かつ高分散のグラフェン分散液を得ることができる。また、上述したように、この分散液に含まれる黒鉛系炭素素材（前駆体）はほとんど沈殿しないから、簡単に濃いグラフェン分散液を得ることができる。この方法により、濃縮することなしに、グラフェンの濃度が１０％を超えるグラフェン分散液を作成することもできた。特に、１０層以下のグラフェンが分散する割合が５０％以上に急増するという観点から、Ｒａｔｅ（３Ｒ）は４０％以上がより好ましい。
【００５６】
上述により、Ｒａｔｅ（３Ｒ）が３１％以上、好ましくは４０％以上、更に好ましくは５０％以上であると、１０層以下のグラフェン及び１０層前後の薄層の黒鉛系炭素素材に分離される割合が多く、これらの黒鉛系炭素素材をグラフェン前駆体として用いた場合に、グラフェンの分散性に優れ、かつ、高濃度のグラフェン分散液を得られることが分った。また、後述する実施例５により、Ｒａｔｅ（３Ｒ）が３１％以上の場合に黒鉛系炭素素材グラフェン前駆体として有用であることが明確になった。
【００５７】
また、Ｒａｔｅ（３Ｒ）の上限を特に規定する必要はないと考えるが、強度比Ｒ１／Ｒ２が０．０１以上を同時に満たすようにすることが、分散液等を作成する場合にグラフェンに分離しやすいことから好ましい。なお、製造装置Ａ、Ｂを用いた製造方法の場合には、グラフェン前駆体を製造がし易いという観点からは、上限は７０％程度である。また、製造装置Ａのジェットミルによる処理とプラズマ処理とを併用する方法の方が、Ｒａｔｅ（３Ｒ）が高いものを容易に得られることからより好ましい。なお、物理的力による処理と電波的力による処理を併用して、Ｒａｔｅ（３Ｒ）が３１％以上となっていればよい。
【実施例２】
【００５８】
実施例１では、グラフェン分散液を得る際に、超音波処理とマイクロ波処理とを併用する場合について説明したが、実施例２では、超音波処理のみを行いマイクロ波処理は行っておらず、その他の条件は実施例１と同様である。
図１５（ｂ）は、製造装置Ｂで製造した試料５（Ｒａｔｅ（３Ｒ）＝４６％）のグラフェン前駆体を用い超音波処理を施して得られたグラフェン分散液の層数の分布を示す。なお、図１５（ａ）は実施例１の製造装置Ｂにより製造された試料５の図１１（ｂ）に示される分布と同じである。
その結果、層数の分布の傾向は概ね同様であるが、１０層以下のグラフェンの割合は６４％であり、実施例１の６８％に比較し、少し低下している。このことから、グラフェン分散液を作成する際は物理的力と電波的力の処理を２つ同時に行った方がより効果があることが判明した。
【実施例３】
【００５９】
実施例３では導電インクに用いる例について説明する。
実施例１の試料１（Ｒａｔｅ（３Ｒ）＝２３％）、試料３（Ｒａｔｅ（３Ｒ）＝３８％）、試料５（Ｒａｔｅ（３Ｒ）＝４６％）、試料６（Ｒａｔｅ（３Ｒ）＝５１％）をグラフェン前駆体として、水と導電性付与剤たる炭素数３以下のアルコールとの混合溶液に導電性インクに使用する濃度にしたＩＮＫ１，ＩＮＫ３，ＩＮＫ５，ＩＮＫ６を作成し、それぞれの抵抗値を比較した。この結果から、Ｒａｔｅ（３Ｒ）が高くなるにつれ、抵抗値は低いという結果となった。
【実施例４】
【００６０】
実施例４では樹脂に混練する例について説明する。
グラフェンを分散した樹脂シートを作成する際に、ガラス繊維を添加したものの引張強度が非常に良好であったためその要因を調べたところ、ガラス繊維と同時に添加する相溶化剤が、前駆体がグラフェン化することに寄与していることが知見として得られた。そこで、分散剤と相溶化剤とを樹脂に混ぜたものについて検討した。
実施例１の試料５（Ｒａｔｅ（３Ｒ）＝４６％）を前駆体としてＬＬＤＰＥ（ポリエチレン）に１ｗｔ％直接添加し、ニーダーや２軸混練機（エクストルーダー）等でシェア（せん段力）をかけながら混練した。
樹脂中で黒鉛系炭素素材がグラフェン化し、高分散すると、引張強度が増加することは公知であることから、樹脂の引張強度を測定することによりグラフェン化と分散の度合いを相対的に推察することができる。引張強度は、島津製作所社製の卓上型精密万能試験機（ＡＵＴＯＧＲＡＰＨ  ＡＧＳ−Ｊ）で試験速度５００ｍｍ／ｍｉｎの条件で測定した。
【００６１】
また、添加剤の有無による、グラフェン化と分散性を比較するため、下記（ａ），（ｂ），（ｃ）３種類の比較を行った。
（ａ）添加剤無
（ｂ）一般的分散剤（ステアリン酸亜鉛）
（ｃ）相溶化剤（グラフト変性ポリマー）
【００６２】
測定結果を示す図１７を参照して結果について説明する。なお、図１７中、丸印は比較例の試料１を用いた樹脂材料、四角印は実施例１の試料５を用いた樹脂材料である。
（ａ）の添加剤を加えない場合は、引っ張り強さの差は小さかった。
（ｂ）の分散剤を添加した場合は、試料５のグラフェン前駆体はグラフェン化がある程度促進されることがわかる。
（ｃ）の相溶化剤を添加した場合は、試料５のグラフェン前駆体はグラフェン化がかなり促進されることがわかる。これは、相溶化剤は、グラフェン分散させる効果の他に、グラフェン層結合体と樹脂を結合させ、その状態でシェアを加えると、グラフェン層結合体を引きはがすように作用すると考えられるからである。
【００６３】
分散剤としてステアリン酸亜鉛を例に説明したが、化合物に合った性質のものを選択するとよい。例えば、分散剤としては、陰イオン（アニオン）界面活性剤、陽イオン（カチオン）界面活性剤、両性イオン界面活性剤、非イオン（ノニオン）界面活性剤が挙げられる。特にグラフェンに対しては、陰イオン界面活性剤と非イオン界面活性剤が好ましい。より好ましくは、非イオン界面活性剤である。非イオン界面活性剤は、オキシエチレン基や水酸基、グルコシドなどの糖鎖など、イオンには解離せず、水との水素結合によって親水性を呈する界面活性剤であるため、イオン性界面活性剤ほどの親水性の強さは無いが、非極性溶媒中での使用が可能であるメリットがある。そして、その親水基鎖長を変化させることで、その性質を親油性から親水性まで自由に変化させることができるからである。陰イオン界面活性剤としては、Ｘ酸塩（Ｘ酸は例えばコール酸、デオキシコール酸）、例えばＳＤＣ：デオキシコール酸ナトリウム、リン酸エステルなどが好ましい。また、非イオン界面活性剤としては、グリセリン脂肪酸エステル、ソルビタン脂肪酸エステル、脂肪アルコールエトキシレート、ポリオキシエチレンアルキルフェニルエーテル、アルキルグリコシドなどが好ましい。
【実施例５】
【００６４】
実施例１でも説明したＲａｔｅ（３Ｒ）を３１％以上とするとグラフェン前駆体として有用であることを更に検証するため、実施例５では樹脂に混練する例を用いて更に説明する。実施例１における試料１〜７を含む図１４にプロットされたＲａｔｅ（３Ｒ）の黒鉛系炭素素材を前駆体として用いた樹脂成形品の弾性率について説明する。
【００６５】
（１）上記黒鉛系炭素素材を前駆体としてＬＬＤＰＥ（ポリエチエレン：プライムポリマー社製２０２０１Ｊ）５ｗｔ％を分散剤（ノニオン系界面活性剤）１ｗｔ％とともに、イオン交換水に混ぜ、上述した図８の装置を同様の条件で駆動して、グラフェン乃至黒鉛系炭素素材が５ｗｔ％となるグラフェン分散液を得る。
（２）（１）において得られたグラフェン分散液０．６ｋｇを直ちに、ニーダー（モリヤマ株式会社製 加圧型ニーダー WDS7-30）を用いて樹脂５．４ｋｇに混練し、ペレットを作成する。混練条件については後述する。なお、樹脂と分散液との配合比率は最終的にグラフェン乃至黒鉛系炭素素材の添加量が０．５ｗｔ％になるように選定した。
（３）（２）において作成されたペレットを使用して射出成型機で試験片 JIS K7161 1A形（全長165mm、幅20mm、厚み4mm）を作成する。
（４）（３）により作成された試験片の弾性率（Ｍｐａ）をJIS K7161に基づいて、株式会社島津製作所製の卓上精密万能試験機（AUTOGRAPH AGS-J）により試験速度：５００ｍｍ／ｍｉｎの条件で測定した。
【００６６】
混錬条件は次のとおりである。
混練温度：１３５℃ 
ローター回転数 ：３０ｒｐｍ 
混練時間：１５分
炉内加圧：開始後１０分間.０．３ＭＰａ、１０分経過後大気圧まで除圧
【００６７】
ここで、上述した（２）のグラフェン分散液の樹脂への分散について、一般に樹脂の融点は１００℃以上のため、大気中では水が蒸発するが、加圧ニーダーは、炉内を加圧できる。炉内で、水の沸点を上げ、分散液を液体のまま留めることにより、分散液と樹脂とのエマルションが得られる。所定の時間加圧後、徐々に圧力を抜くと、水の沸点が下がり水は蒸発していく。その際に水に閉じ込められていたグラフェンは樹脂中に残る。これにより、樹脂中にグラフェン黒鉛系炭素素材が高分散される、と考えられる。
また、グラフェン分散液は時間の経過とともにグラフェン黒鉛系炭素素材が沈降する傾向にあることから、グラフェン分散液を得た直後に樹脂に混練することが好ましい。
【００６８】
なお、分散液と樹脂とのエマルションを得る手段は、加圧ニーダーの他に、ケミカルスラスター、ボルテックスミキサー、ホモミキサー、高圧ホモジナイザー、ハイドロシェア、フロージェットミキサー、湿式ジェットミル、超音波発生器などでも良い。 
また、分散液の溶媒として水の他に２−プロパノール（IPA）、アセトン、トルエン、Ｎ−メチルピロリドン（NMP）、Ｎ，Ｎ−ジメチルホルムアミド（DMF）などを用いても良い。
【００６９】
表４には、Ｒａｔｅ（３Ｒ）が３０％付近のＲａｔｅ（３Ｒ）と樹脂成形品の弾性率の関係を示している。なお、表４における、試料００は前駆体を混錬しなかったブランクの試料であり、試料１１、１２はＲａｔｅ（３Ｒ）が試料１と試料２の間、試料２１はＲａｔｅ（３Ｒ）が試料２と試料３の間の試料である。
【００７０】
【表４】
0005777195.tif 000005
【００７１】
図１８及び表４から、試料００（ブランク）に対する弾性率の差（弾性率の増加割合）は、Ｒａｔｅ（３Ｒ）が３１％まではほぼ１０％前後で略一定であり、Ｒａｔｅ（３Ｒ）が３１％を境にその差は３２％まで急増し、Ｒａｔｅ（３Ｒ）が３１％から４２％にかけてその差は５０％まで単調増加し、Ｒａｔｅ（３Ｒ）が４２％以降はその差は微増乃至６０％前後で収束することが判明した。このように、Ｒａｔｅ（３Ｒ）が３１％以上となると、弾性率に優れる樹脂成形品が得られる。また、樹脂成形品に含まれるグラフェン乃至黒鉛系炭素素材は０．５ｗｔ％と少量であるため、樹脂が本来有する性状に与える影響が少ない。
【００７２】
この傾向は、Ｒａｔｅ（３Ｒ）が３１％を境として、樹脂と接触する１０層以下のグラフェンを含む薄層の黒鉛系炭素素材が急増するためと考えられる。ここで、実施例５では、水に分散させるための分散剤の影響でTEMにより観察してもグラフェンの層数を確認できない。そこで、参考までに、上述した急増する理由を、表４に示す、NMPに分散した際の黒鉛系炭素素材の層数の分布を基に検討する。試料１２と試料２とを対比すると、グラフェン（層数が１０層以下）は共に２５％になる。一方、図１９に示されるように、試料２は１５層未満の薄層の割合が試料１２よりも多く、すなわち前駆体として分散させた黒鉛系炭素素材の表面積が広く、樹脂と接触する面積が急激に広がったためと考えられる。
このように、実施例５により、Ｒａｔｅ（３Ｒ）が３１％以上であると、グラフェン前駆体として用いられる黒鉛系炭素素材は１０層以下のグラフェン乃至薄層の黒鉛系炭素素材に分離される傾向が明確に示された。
【実施例６】
【００７３】
上述の方法により製造したグラフェン前駆体を用いてリチウムイオン二次電池の正極を得る実験を行った。
【００７４】
＜諸条件＞
溶媒：NMP  (N-methylpyrrolidone)（三菱化学社製 電池グレード）、
導電助剤（伝導素材）：アセチレンブラック（電気化学工業社製 HS-100、平均粒子径48ｎｍ、かさ密度0.15g/ml、灰分0.01%）、
黒鉛系炭素素材：グラフェン前駆体（上述の方法により製造）、
結着剤：PVdF  (PolyVinylidene)（Solvay社製 ソレフTA5130）、
正極活物質（母材）：三井金属社製 NCM Li(Ni1/3,Co1/3, Mn1/3)O2）（平均粒径30μｍ）、
超音波処理装置（Hielscher社製  UP100S）、
＜処理条件：20kHz、100W＞、
＜分散液条件１：実施例１（図８）のグラフェン前駆体の剥離分散液の作成方法に同じ。超音波及びマイクロ波の付与条件も同じ。＞
攪拌機（シンキー社製 ARE-310）、
＜攪拌条件１：常温25℃、撹拌2000rpm×10分＞
＜攪拌条件２：常温25℃、撹拌2000rpm×10分、攪拌後脱泡2100rpm×30秒＞、
セパレーター（celgard社製 2400、板厚25μｍ、材質：ＰＰ（polypropylene））、
電解液：LiPF6 (lithium hexafluorophosphate)を1.0mol/L含有するEC（ethylene carbonate）：DEC（diethyl carbonate）（７：３vol%）（キシダ化学社製）、
リチウム箔（負極）：（本城金属社製 厚さ0.2mm）
【００７５】
＜実験手順＞
ステップ１．NMP（90g）にグラフェン前駆体（試料１、２、２１、４（実施例１、５に用いた試料）を参照。）を10g加え、分散液条件１にて、グラフェン前駆体を剥離・分散し、濃度10wt%の分散液を得る。
ステップ２．分散液（20g）と、PVdF（4g）、アセチレンブラック（6g）を加えて、撹拌条件１で撹拌し、30gの混合物１を得る。
ステップ３．混合物１に表５に示す割合の正極活物質を加え、撹拌条件２で撹拌し混合物２を得る。
ステップ４．混合物２をアルミ箔に0.25mmの膜厚で塗布し、100℃で真空乾燥し、圧力1.5MPaでプレスして厚みを整えた正極を得る。
ステップ５．正極を直径15ｍｍに打ち抜く。
ステップ６．ステンレス板上に圧着したリチウム箔を負極とし、セパレーター、電解液、正極の順に重ね宝泉社製ステンレス製HSセルに組み付けた。
ステップ７．HSセルを次の試験条件により電気化学評価を行った。
ここで、上述の手順では、次のステップへの移行は待機時間を設けることなく順次行った。以降の実施例についても同様である。
【００７６】
＜試験条件＞
初回充電：CC-CV充電0.2C（0.01C cut off）
初回放電：CC放電0.2C
組立環境：25℃、露点温度-64℃  アルゴン雰囲気下（グローブボックス内）
電圧範囲：2.75V〜4.5V vs. Li/Li+
測定装置：ナガノ社製 BTS2004W
ここで、CC-CV充電は定電圧定電流充電、CC放電は定電流放電、0.2Cは充放電レート5時間、0.01C cut offはカットオフ条件である。
【００７７】
また、グラフェン様黒鉛の影響を確認するため、表５に示す混合比率により、Rate(3R)が23％（試料１）、31%（試料２）、35%（試料２１）、42%（試料４）で実験を行った。
【００７８】
【表５】
0005777195.tif 000006
【００７９】
表５及び図２０から、充電特性は、充電電位4.5Vにレート0.2Cで充電すると実施例6-1,6-2,6-3、比較例6-1,グラフェン様黒鉛が分散されていない比較例6-2は似た傾向を示した。実施例6-1,6-2,6-3、特に実施例6-3は比較的、早く充電電圧が高くなるからより好ましい。なお、比較例6-3は、充電挙動が観察されなかった。これは、アセチレンブラックのようなひも状の物質が無いために、グラフェン様黒鉛のようなナノ粒子だけでは導電パスが形成されなかったためと推察される。
【００８０】
また、放電特性について、実施例6-1,6-2,6-3は、比較例6-1,6-2よりも、充電終止電位が高いことが観察された。さらに、グラフェン様黒鉛が分散された実施例6-1,6-2,6-3、比較例6-1はいずれも、グラフェン様黒鉛が分散されていない比較例6-2よりも容量が大きくなることが観察された。特に実施例6-1,6-2,6-3の場合に顕著に容量が大きくなることが観察された。なお、比較例6-3は、放電挙動が観察されなかった。
【００８１】
Ｒａｔｅ（３Ｒ）が３１％以上（実施例6-1,6-2,6-3）のグラフェン前駆体から剥離したグラフェン様黒鉛をABに併用すると、得られた電池は充電終止電位が高く、正極の放電特性が良好である、特に、図２０から３１%を境に充電終止電位が急増する傾向が確認された。これは、図２１に示されるように、粒径数十μｍの正極活物質５２，５２間に、ひも状で断面径が数十ｎｍの導電助剤であるＡＢ５３，５３，・・,５３が存在し、正極活物質５２とＡＢ５３との間、ＡＢ５３とＡＢ５３との間、アルミ箔５１と正極活物質５２との間、アルミ箔５１とＡＢ５３との間にそれぞれ、グラフェン様黒鉛５４（例えば厚さ５０ｎｍ以下、大きさ１００ｎｍ〜５μｍ。）が分散されていると推察される。そして、グラフェン様黒鉛５４は、面状であり、かつアルミ箔５１、正極活物質５２、ＡＢ５３等の他の素材に比較し柔軟であるため、アルミ箔５１、正極活物質５２及びＡＢ５３を相互にグラフェン様黒鉛５４を介して密に接触するため、正極の放電特性が良好となると考えられる。なお、Ｒａｔｅ（３Ｒ）が３１％未満（比較例6-1）のグラフェン前駆体では分散されるグラフェン様黒鉛の量が少なく、グラフェン様黒鉛を添加することによる効果が十分に発揮されていないと考えられる。
【００８２】
また、グラフェン前駆体のＲａｔｅ（３Ｒ）が３５％（実施例6-2）、４２％（実施例6-3）と増えるにつれ、それ以下の場合よりも、正極の放電特性及び容量がより良好である。Ｒａｔｅ（３Ｒ）が３１％（実施例6-1）よりも、アルミ箔５１、正極活物質５２及びＡＢ５３を相互に接触させるグラフェン様黒鉛５４の数や接触面積が増えるため考えられる。
【００８３】
また、グラフェン前駆体を上述したように電波的力による処理及び／又は物理的力による処理により製造しているため、酸化、還元処理が不要である。さらに、正極を製造する際に、還元処理が不要であるため、高温にする必要がなく、正極の製造が容易である。加えて、正極を、混練条件１、２及び真空乾燥によりして製造するものであり、その製造が簡単である。
【００８４】
さらに、正極活物質５２と混練する前に、分散液条件１でグラフェン様黒鉛が分散された分散液とＡＢ５３とを混練するため、混練条件１により、グラフェン様黒鉛５４はＡＢ５３とよく混ざる。その後、正極活物質５２と混練するため、グラフェン様黒鉛５４は偏りなく分散される。
【００８５】
ここで、ステップ１により得られた分散液には、グラフェン前駆体から、剥離された材料が分散している。冒頭でも説明したが、グラフェン前駆体の一部又は全部が剥離され、グラフェン前駆体からグラフェンまでの混在物を「グラフェン様黒鉛」という。分散液に分散されたグラフェン様黒鉛は図示しないが透過型電子顕微鏡（ＴＥＭ）により図１０に示すグラフェンと同様にして観察することができる。
参考のために、グラフェン前駆体の走査型電子顕微鏡（ＳＥＭ）撮像図について説明する。実施例１により得られたグラフェン前駆体は、例えば図２２、２３に示されるように、長さ7μｍ、厚さ0.1μｍの薄層黒鉛の積層体である。
【実施例７】
【００８６】
上述の方法により製造したグラフェン前駆体を用いてリチウムイオン二次電池の正極を得る実験を行った。
実施例７では伝導素材をカーボンナノチューブとし、表６の混合比率で実験を行った。それ以外は、実施例６と同様である。
＜諸条件＞
カーボンナノチューブ：VGCF-H  昭和電工社製（繊維径150nm、繊維長10〜20μm）
【００８７】
【表６】
0005777195.tif 000007
【００８８】
図２４に示されるように、実施例６と同様の傾向が観察された。カーボンナノチューブの使用により、全体的にABよりも若干充放電特性が良くなっている。
【実施例８】
【００８９】
上述の方法により製造したグラフェン前駆体を用いてリチウムイオン二次電池の正極を得る実験を行った。
実施例８では、Ｒａｔｅ（３Ｒ）が３１％であるグラフェン前駆体の伝導素材に対する混合比率を表７に示される条件で実験を行った。それ以外は、実施例６と同様である。
【００９０】
【表７】
0005777195.tif 000008
【００９１】
図２５に示されるように、充放電特性は、伝導素材に対するグラフェン前駆体の混合比率が１（実施例8-2）よりも大きくなるとほぼ同様の傾向が観察され、特性が飽和していることが観察された。また、グラフェン前駆体の混合比率が１０以上となると母材の性状への影響が大きくなる。一方、混合比率が１／５０未満となる（実施例8-7）と、グラフェン前駆体を混合していないもの（比較例6-2）とほぼ同じ傾向になること、１／１０（実施例8-6）以上となると充放電特性が良好になることが観察された。このことから、混合比率は、下限は１／５０以上、好ましくは１／１０以上、上限は１０以下好ましくは１以下であることが好ましい。
【実施例９】
【００９２】
次に、上述の方法により製造したグラフェン前駆体を用いて樹脂成形品を得る実験を行った。
【００９３】
＜諸条件＞
<<素材>>
樹脂：LLDPE（ポリエチレン：プライムポリマー製 20201J）、
溶媒：水（イオン交換水）、
分散剤：1wt%（ノニオン系界面活性剤）、
超音波処理装置（Hielscher社製  UP100S）、
＜処理条件：20kHz、100W＞、
＜分散液条件２：グラフェン前駆体を分散剤（ノニオン系界面活性剤）１ｗｔ％とともに、イオン交換水に混ぜ、上述した図８の装置を同様の条件で駆動して、グラフェン様黒鉛が１０ｗｔ％となる分散液を得る。＞
【００９４】
<<ニーダー>>
ニーダー：モリヤマ製 加圧型ニーダー WDS7-30、
混練温度：135℃、
ローター回転数：30r/min、
加工時間：15分、
混合比率：樹脂5340g、ＡＢ（HS-100）600g、分散液600ｇ（グラフェン様黒鉛が60ｇになる様に）、
<<体積抵抗値>>
試験片：φ100ｍｍ×ｔ3ｍｍ（ＡＳＴＭ Ｄ２５７）、
測定装置：装置本体（川口電気製作所製 R-503）、電極装置（川口電気製作所製 P-616）、
印加電圧：500V、
電圧印加１分後の電流を計測、
<<熱伝導率>>
試験片：φ50ｍｍ×ｔ3ｍｍ（ＡＳＴＭ Ｅ１５３０）、
測定装置：ANTER社製 UNITHERM 2021
【００９５】
＜実験手順＞
ステップ１．表８に示されるＲａｔｅ（３Ｒ）の異なるグラフェン前駆体を用いて分散条件２により分散液を得る。
ステップ２．ステップ１．で得た分散液と樹脂を加圧ニーダーに入れて上記混合比率で混練する。
ステップ３．ステップ２．で得た混練物を、ＡＳＴＭ Ｄ２５７に準拠して、射出成型機にて試験片を成型し、体積抵抗値の変化を観察した。
ステップ４．ステップ２．で得た混練物を、ＡＳＴＭ Ｅ１５３０に準拠して、射出成型機にて試験片を成型し、定常法にて熱伝導率の変化を観察した。
【００９６】
【表８】
0005777195.tif 000009
【００９７】
表８から、実施例9-1,9-2,9-3は、いずれも、体積抵抗が小さく、電気伝導性に優れる。
【００９８】
また、実施例9-1,9-2,9-3は、比較例9-1,9-2,9-3,9-4よりも、熱伝導率が十分に高いことが観察された。
【００９９】
Ｒａｔｅ（３Ｒ）が３１％以上（実施例9-1,9-2,9-3）のグラフェン前駆体から剥離したグラフェン様黒鉛をABに併用すると、体積抵抗及び熱伝導率が良好になる、特に、表８から３１％を境に体積抵抗及び熱伝導率が急激に良好になる傾向が確認された。これは、実施例６と同様の原理により、LLDPEの高分子間に、断面径が数百ｎｍ〜数μｍのABが存在する。LLDPEとABとの間、ABとABとの間、LLDPEとLLDPEとの間にそれぞれ、グラフェン様黒鉛が分散していると推察される。そして、グラフェン様黒鉛は、面状であり、かつLLDPE、AB等の他の素材に比較し柔軟であるため、LLDPE及びABを相互にグラフェン様黒鉛を介して密に接触するため、体積抵抗及び熱伝導率が良好となると考えられる。なお、Ｒａｔｅ（３Ｒ）が３１％未満（比較例9-1）では分散するグラフェン様黒鉛の量が少なく、グラフェン様黒鉛を分散させたことによる効果が十分に発揮されていないと考えられる。
【０１００】
また、Ｒａｔｅ（３Ｒ）が３５％（実施例9-2）、４２％（実施例9-3）と増えるにつれ、それ以下の場合よりも、体積抵抗及び熱伝導率がより良好である。Ｒａｔｅ（３Ｒ）が３１％（実施例9-1）よりも、LLDPE及びABを相互に接触させるグラフェン様黒鉛の数や接触面積が増えるため考えられる。
【０１０１】
ここでステップ１により得られた分散液には、グラフェン前駆体から、剥離された材料が分散している。冒頭でも説明したが、グラフェン前駆体の一部又は全部が剥離され、グラフェン前駆体からグラフェンまでの混在物を「グラフェン様黒鉛」という。分散液に分散されたグラフェン様黒鉛は図示しないが透過型電子顕微鏡（ＴＥＭ）により図１０に示すグラフェンと同様にして観察することができる。
また、樹脂に分散されたグラフェン様黒鉛は成形した試験片を精密高速切断機（ALLIED社製  TechCut5）などで切断し走査型電子顕微鏡（ＳＥＭ）などにより観察できる。例えば図２６には、カーボンナノチューブとグラフェン様黒鉛が分散された樹脂の断面が示されており、線状の部分がカーボンナノチューブ、白い斑状の部分がグラフェン様黒鉛である。このグラフェン様黒鉛は、例えば図２７に示されるように、厚さ3.97ｎｍの薄層黒鉛の積層体である。
【実施例１０】
【０１０２】
次に、上述の方法により製造したグラフェン前駆体を用いて樹脂成形品を得る実験を行った。
Ｒａｔｅ（３Ｒ）が３１％であるグラフェン前駆体の伝導素材に対する混合比率を表９に示される条件で実験を行った。
＜諸条件＞
<<素材>>
樹脂：LLDPE（ポリエチレン： プライムポリマー製 20201J）、
相溶化剤：カヤブリッド006PP（化薬アクゾ社製  無水マレイン酸変性ＰＰ）、
アセチレンブラック（電気化学工業社製 HS-100、平均粒子径48ｎｍ、かさ密度0.15g/ml、灰分0.01%）
<<2軸エクストルーダー>>
2軸エクストルーダー：神戸製鋼社製  HYPERKTX 30、
混練温度 ：135℃、
スクリュ回転数 ：100r/min、
<<体積抵抗値>>
試験片：φ100ｍｍ×ｔ3ｍｍ（ＡＳＴＭ Ｄ２５７）、
測定装置：装置本体（川口電気製作所製 R-503）、電極装置（川口電気製作所製 P-616）、
印加電圧：500V、
電圧印加１分後の電流を計測、
【０１０３】
<<熱伝導率>>
試験片： φ50ｍｍ×ｔ3ｍｍ（ＡＳＴＭ Ｅ１５３０）、
測定装置: ANTER社製 UNITHERM 2021
【０１０４】
＜実験手順＞
ステップ１．表９に示されるＲａｔｅ（３Ｒ）の異なるグラフェン前駆体と、相溶化剤を２軸エクストルーダーにて混練を行いグラフェン様黒鉛を４０ｗｔ％含有する混合物１を得る。なお、グラフェン前駆体は混練の過程でグラフェン様黒鉛となる。
ステップ２．同じ２軸エクストルーダーにステップ１．で得た混合物１、樹脂、ＡＢを表９に示す割合で混練する。
ステップ３．ステップ２．で得た混練物を、ＡＳＴＭ Ｄ２５７に準拠して、射出成型機にて試験片を成型し、体積抵抗値の変化を観察した。
ステップ４．ステップ２．で得た混練物を、ＡＳＴＭ Ｅ１５３０に準拠して、射出成型機にて試験片を成型し、定常法にて熱伝導率の変化を観察した。
なお、相溶化剤による体積抵抗や熱伝導率は、母材となる樹脂と大きく変わらないため、本実施例では考慮しない。
【０１０５】
【表９】
0005777195.tif 000010
【０１０６】
表９に示されるように、伝導素材に対するグラフェン前駆体の混合比率が１（実施例10-5）よりも大きくなると、体積抵抗及び熱伝導率はほぼ同様の値となり、特性が飽和していることが観察された。また、グラフェン前駆体の混合比率が１０以上となると母材の性状への影響が大きくなる。一方、混合比率が１／５０未満（比較例10-9）となると、グラフェン前駆体を混合していないもの（比較例2-2）とほぼ同じ体積抵抗及び熱伝導率になることが観察された。このことから、混合比率は、下限は１／５０以上、好ましくは１／１０以上、上限は１０以下好ましくは１以下であることが好ましい。
【実施例１１】
【０１０７】
次に、上述の方法により製造したグラフェン前駆体を用いて樹脂成形品を得る実験を行った。
実施例１１では、Ｒａｔｅ（３Ｒ）が３１％であるグラフェン前駆体と共に混合する伝導素材を変えてその形状による影響を確認した。それ以外は、実施例９と同様である。
【０１０８】
図２８に示されるように、伝導素材として、カーボンブラックの一種であるアセチレンブラック（ＡＢ）は、その径が数十ｎｍ、その長さが数〜数十μｍのひも状ないし直鎖状である。カーボンファイバー（ＣＦ）はその径が数十μｍ、その長さが数百μｍの線状である。金属粒子はその径が数十ｎｍ〜数μｍである。
【０１０９】
【表１０】
0005777195.tif 000011
【０１１０】
表１０に示されるように、ＡＢを添加した実施例9-1とＣＦを添加した実施例11-1はいずれも体積抵抗及び熱伝導率が良好であった。一方、金属粒子を添加した実施例11-2は、グラフェン前駆体が添加されグラフェン様黒鉛が分散されているにも拘わらず体積抵抗及び熱伝導率が良好ではなかった。このことから、グラフェン前駆体はひも状、直鎖状又は線状の伝導素材と併せて用いると良いことが分かった。また、実施例として示していないが、鱗片状の伝導素材も体積抵抗及び熱伝導率が良好であった。ひも状、直鎖状、線状又は鱗片状のナノ伝導素材は、その形状から単位質量当たりの表面積が広いため、多くのグラフェン様黒鉛と接触することとなり、グラフェン様黒鉛との相性が良いと推測される。さらに、伝導素材は、ひも状、直鎖状、線状又は鱗片状の形状として、アスペクト比が５以上のものが特に好ましいことが判明した。なお、アセチレンブラックのように枝分かれしている素材のアスペクト比は、最も長い部分に対する平均径の比を求めればよい。また、鱗片状の素材のアスペクト比は、最も長い部分に対する平均厚さの比を求めればよい。
【実施例１２】
【０１１１】
次に、上述の方法により製造したグラフェン前駆体を用いて樹脂成形品を得る実験を行った。実施例１２では、グラフェン前駆体を分散条件３で製造したグラフェンペーストを用いて実験を行った。
＜諸条件＞
＜素材＞
ジアセトンアルコール：和光純薬社製、
メチルパラベン：和光純薬社製、
安定剤：ニトロセルロース  DLX-30-50  （Nobel NC Co.Ltd）、
アセチレンブラック（電気化学工業社製 HS-100、平均粒子径48ｎｍ、かさ密度0.15g/ml、灰分0.01%）、
＜撹拌＞
攪拌機（シンキー社製 ARE-310）
＜攪拌条件３＞：常温25℃、撹拌2000rpm×10分、攪拌後脱泡  2100rpm×30秒）
＜塗布条件１＞
バーコーター：第一理化社製  No.16、
塗布膜厚：36.6μｍ（乾燥時25.4μｍ）、
乾燥条件：130℃×30分、
基板：石英ガラス（ｔ2ｍｍ）、
塗布面積：50ｍｍ×50ｍｍ、
＜シート抵抗測定器＞
ロレスタGP  MCP-T610型  三菱化学アナリテック社製、
測定条件：JIS K7194
【０１１２】
＜実験手順＞
ステップ１．表１１に示されるＲａｔｅ（３Ｒ）の異なるグラフェン前駆体をジアセトンアルコール（4-Hydroxy-4-methyl-2-pentanone）に上述した図８の装置を同様の条件で駆動して、グラフェン様黒鉛が１０ｗｔ％となる分散液を得る。（分散条件３）
ステップ２．ステップ１．で得られたグラフェン分散液、メチルパラベン（Methyl 4-Hydroxybenzoate）、安定剤、ABを表１１に示される割合で加え、撹拌条件３にて混合物３を得る。
ステップ３．混合物３をバーコーターを用いて塗布条件１で塗布し、JIS K7194に準拠して４探針法にてシート抵抗を測定する。
【０１１３】
【表１１】
0005777195.tif 000012
【０１１４】
表１１に示されるように、実施例12-1,12-2,12-3は、比較例12-1,12-2よりも、シート抵抗が低いことが観察された。また、Ｒａｔｅ（３Ｒ）が23％の比較例12-1はグラフェン前駆体を加えない比較例12-2とシート抵抗が略同等であることが観察された。このことから、実施例12-1,12-2,12-3はグラフェン様黒鉛がＡＢと共にシート抵抗の低下に十分に寄与していると推察される。また、Ｒａｔｅ（３Ｒ）が31％以上のグラフェン前駆体を用いたグラフェンペースト（実施例12-1,12-2,12-3）は、同23％のグラフェンペースト（比較例12-1）に比較し、シート抵抗が急激に低下していることが判明した。
なお、本実施例では外乱要因を除外するため、基本的な素材のみで構成した。実用の導電性インク、ペーストにおいては、酸化防止剤や粘度調整剤、複数の導伝素材を添加し、インクとしての所望や、抵抗値を下げることが通常である。
【０１１５】
以上、本発明の実施例を図面により説明してきたが、具体的な構成はこれら実施例に限られるものではなく、本発明の要旨を逸脱しない範囲における変更や追加があっても本発明に含まれる。
【０１１６】
上述した実施例では、グラフェン前駆体を製造する製造装置として、ジェットミルとプラズマを用いる製造装置Ａと、ボールミルとマイクロ波を用いる製造装置Ｂについて説明したが、マイクロ波、ミリ波、プラズマ、電磁誘導加熱（ＩＨ）、磁場などの電波的力による処理と、ボールミル、ジェットミル、遠心力、超臨界などの物理的力による処理とを併用すると、割合Ｒａｔｅ（Ｒ３）が高い前駆体を得ることができるから好ましい。なお、物理的力による処理と電波的力による処理を併用して、物理的力による処理と電波的力による処理の個別の処理の種類は問わない。特に、製造装置Ａ及びＢのように、電波的力と物理的力とによる作用を同時に作用させることが好ましいが、電波的力と物理的力とを交互に所定間隔毎に作用させるようにしてもよい。さらに、電波的力について、例えば、マイクロ波とプラズマとによる処理など、異なる電波的力を、交互に施し、それと並行して１または２以上の物理的力による処理を施してもよい。また、物理的力についても、例えば、ジェットミルと超臨界による処理など、異なる物理的力を、交互に施し、それと並行して１または２以上の電波的力による処理を施してもよい。
【０１１７】
例えば、伝導素材と黒鉛系炭素素材を分散させる母材としては次のものが挙げられる。ただし、母材は伝導素材や黒鉛系炭素素材よりも割合が小さくても良い。また、使用時には燃焼、酸化、気化、蒸発などにより消滅する場合もある。例えば、導電ペーストや導電インク等母材が揮発性の溶剤等の場合には母材が消滅する。母材に母材と伝動素材を含む場合もある。
正極活物質として、層状酸化物系活物質（LiCoO2、LiNiO2、Li(NixCoy)O2（ただしx+y=1）、Li(NixCoyAlz)O2、Li(NixMnyCoz)O2、Li(NixMny)O2、Li2MnO3-Li(NixMnyCoz)O2（ただしx+y+z=1）など））、オリビン系活物質（LiMPO4、Li2MPO4F、Li2MSiO4（ただしいずれもMはNi、Co、Fe、Mnより1つ以上選ばれる金属元素）、リチウム過剰系活物質、スピネル型正極活物質（LiMn2O4）などが挙げられる。
【０１１８】
樹脂として、ポリエチレン（ＰＥ）、ポリプロピレン（ＰＰ）、ポリスチレン（ＰＳ）、ポリ塩化ビニル（ＰＶＣ）、ＡＢＳ樹脂（ＡＢＳ）、アクリル樹脂（ＰＭＭＡ）、ポリアミド／ナイロン（ＰＡ）、ポリアセタール（ＰＯＭ）、ポリカーボネート（ＰＣ）、ポリエチレンテレフタラート（ＰＥＴ）、環状ポリオレフィン（ＣＯＰ）、ポリフェニレンスルファイド（ＰＰＳ）、ポリテトラフロロエチレン（ＰＴＦＥ）、ポリサルフォン（ＰＳＦ）、ポリアミドイミド（ＰＡＩ）、熱可塑性ポリイミド（ＰＩ）、ポリエーテルエーテルケトン（ＰＥＥＫ）、液晶ポリマー（ＬＣＰ）などの熱可塑性樹脂が挙げられる。また、合成樹脂のうち熱硬化性樹脂または紫外線硬化樹脂として、エポキシ樹脂（ＥＰ）、フェノール樹脂（ＰＦ）、メラミン樹脂（ＭＦ）、ポリウレタン（ＰＵＲ）、不飽和ポリエステル樹脂（ＵＰ）など、導電性高分子として、ＰＥＤＯＴ、ポリチオフェン、ポリアセチレン、ポリアニリン、ポリピロールなど、繊維状のナイロン、ポリエステル、アクリル、ビニロン、ポリオレフィン、ポリウレタン、レーヨンなどの繊維、エラストマーとしてイソプレンゴム（ＩＲ）、ブタジエンゴム（ＢＲ）、スチレンブタジエンゴム（ＳＢＲ）、クロロプレンゴム（ＣＲ）、ニトリルゴム（ＮＢＲ）、ポリイソブチレンゴム／ブチルゴム（ＩＩＲ）、エチレンプロピレンゴム（ＥＰＭ／ＥＰＤＭ）、クロロスルホン化ポリエチレン（ＣＳＭ）、アクリルゴム（ＡＣＭ）、エピクロルヒドリンゴム（ＣＯ／ＥＣＯ）など、熱硬化性樹脂系エラストマーとして、一部のウレタンゴム（Ｕ）、シリコーンゴム（Ｑ）、フッ素ゴム（ＦＫＭ）など、熱可塑性エラストマーとしてスチレン系、オレフィン系、塩ビ系、ウレタン系、アミド系のエラストマーが挙げられる。
【０１１９】
また、鉱油として、潤滑油、グリース、またゴム用配合油として、パラフィン系鉱油、ナフテン系鉱油、芳香族系鉱油などが挙げられる。
さらにとして、無極性のもととして、ヘキサン、ベンゼン、トルエン、クロロホルム、酢酸エチルなど、極性非プロトン性のもとして、アセトン、Ｎ，Ｎ−ジメチルホルムアミド（ＤＭＦ）、Ｎ−メチルピロリドン（ＮＭＰ）、アセトニトリルなど、極性プロトン性のもとして、酢酸、エタノール、メタノール、水、１−ブタノール、２−プロパノール、ギ酸などが挙げられる。
【０１２０】
伝導素材としては次の物が挙げられる。金属材料として、銀ナノ粒子、銅ナノ粒子、銀ナノワイヤ、銅ナノワイヤ、鱗片状銀、鱗片状銅、鉄粉、酸化亜鉛など。炭素素材として、カーボンブラック、カーボンファイバー、ＣＮＴ、黒鉛、活性炭など。導電性高分子として、ＰＥＤＯＴ、ポリチオフェン、ポリアセチレン、ポリアニリン、ポリピロールなど。特に鎖状、ひも状、鱗片状の繊維物質が導伝においては良好である。
【０１２１】
また、グラフェン前駆体として用いられる黒鉛系炭素素材を、製造するための天然黒鉛として、５ｍｍ以下の粒子の天然黒鉛材料（日本黒鉛工業製  鱗片状黒鉛  ＡＣＢ−５０）を例に説明したが、天然黒鉛は、鱗片状黒鉛であって、５ｍｍ以下に粉砕されているもので、Ｒａｔｅ（３Ｒ）が２５％未満かつ強度比Ｐ１／Ｐ２が０．０１未満のものが入手しやすいという観点から好ましい。近年の技術開発により、人造で天然黒鉛の様な黒鉛（層状に結晶が重なったもの）を合成できるようになったため、グラフェン及びグラフェン様黒鉛の原料は天然黒鉛（鉱物）とは限らない。電池など、金属含有量をコントロールする必要のある用途に対しては、純度が高い人造黒鉛を用いることが好ましい。
なお、グラフェン前駆体として用いられる黒鉛系炭素素材は、一般的にグラフェン、グラフェン前駆体、グラフェンナノプレートレット（ＧＮＰ）、フューレイヤーグラフェン（ＦＬＧ）、ナノグラフェンなどと呼ばれているが、特に限定するものではない。
【産業上の利用可能性】
【０１２２】
本発明は、伝導性を有する複合伝導素材を対象としており、その適用分野は問わない。なお、本発明において、伝導は、電気伝導、イオン伝導及び熱伝導の少なくとも一つを意味する。例えば下記の様な分野がある。
【０１２３】
（１）電気伝導体（導電体）の例
（１−１）蓄電デバイス
（１−１−１）電池
リチウムイオン電池をはじめとする、電池の正極材、負極材などに用いる電気伝導素材であり、電気伝導とイオン伝導の双方が良いことが望ましい。電池を構成する材料として、以下の材料を例示するがこれらに限られない。
・正極活物質 ：LiCoO2、LiMn2O4、LiNiO2、LiFeO4、Li2FePO4F、Li(Cox,Niy,Mnz)O2
・導電助剤 ：黒鉛粉末、アセチレンブラック、VGCF、CNT
・負極材料 ：黒鉛粉末、ハードカーボン、活性炭、チタネイト（Li4Ti5O12）、Si
・電解液 ：PC（ポリカーボネート）、EC（エチレンカーボネート）、DEC（ジエチルカーボネート）
・支持電解質 ：LiPF6、LiBF4、LiTFSI
・集導体 ：アルミ箔、銅箔、リチウム箔
【０１２４】
（１−１−２）キャパシタ、コンデンサ
リチウムイオンキャパシタ、電気二重層キャパシタ、コンデンサなどのキャパシタ、コンデンサであり、電気伝導が良いことが望ましい。キャパシタ、コンデンサを構成する材料として、以下の材料を例示するがこれらに限られない。
・集電極：アルミ箔
・分極性電極：活性炭
・導電助材：カーボンブラック、CNT
・電解質：テトラエチルアンモニウムイオン、四フッ化ホウ素イオン、ビストリフルオロメチルスルフォニルイミド
・電解液：プロピレンカーボネート、エチレンカーボネート、ジエチルカーボネート、ジメチルカーボネート
【０１２５】
（１−２）導電性分散液
透明／不透明導電フィルム、電子回路基板（印刷、フォトエッチング）の導電デバイスに用いる導電性インク、導電性ペースト、導電性スラリーなどの導電性分散液であり、電気伝導が良いことが望ましい。導電性分散液を構成する材料として、以下の材料を例示するがこれらに限られない。
・溶剤：水、乾燥防止剤（グリセリン、グリコール等）、浸透剤（アルコール、グリコールエーテル等）、アルコール、NMP（N-メチルピロリドン）、ＤＭＦ、トルエン、酢酸エチル、ケトン
・着色剤：染料、顔料
・樹脂：アクリル系ブロック共重合体、アクリル、マレイン酸、ロジン、エポキシ、シリコーン、ブチラール等の熱可塑性樹脂
・添加剤：ｐＨ調整剤、キレート化剤、界面活性剤、防菌防かび剤、酸化防止剤、紫外線吸収剤、可塑剤
・導伝素材：黒鉛粉末、カーボンブラック（ケッチェンブラック、アセチレンブラック等）、カーボンファイバー、ＣＮＴ（ＳＷＮＴ、ＭＷＮＴ）、金属微粉末（銅／銀ナノ粒子）、金属酸化物（ＩＴＯ、亜鉛酸化物）、金属繊維（銅／銀ナノワイヤ）、導電性高分子（ＰＥＤＯＴ、ポリアセチレン等）
【０１２６】
（１−３）導電性コンポジット
導電・静電・帯電防止、電磁波遮断性などの導電性コンポジットであり、電気伝導が良いことが望ましい。導電性分散液を構成する材料として、以下の材料を例示するがこれらに限られない。
・電気伝導素材：金属として Fe,Ni。炭素材として、炭素繊維、等方性黒鉛、カーボンブラック。
・ポリマー種：PE、PP、PS、PC、PVC、ABS、PA6、PA66、PSS、PEEK、POM、エポキシ、天然ゴム、クロロプレンゴム、NBR、シリコーンゴム。
【０１２７】
（２）熱的伝導性の例
（２−１）熱伝導性コンポジット
（２−１−１）伝熱性フィルム、伝熱ポリマーなどのヒートシンク
局所的な熱を逃がすことで、混合物の耐熱時間を上げることができる、ヒートシンクであり、熱伝導が良いことが望ましい。ヒートシンクを構成する材料として、以下の材料を例示するがこれらに限られない。
・伝導素材：金属として Cu, Al, W。炭素材として、炭素繊維、等方性黒鉛。
・ポリマー種：PE、PP、PS、PC、PVC、ABS、PA6、PA66、PSS、PEEK、POM、エポキシ、天然ゴム、クロロプレンゴム、NBR、シリコーンゴム。
【０１２８】
（２−１−２）放熱グリス、ペースト
被放熱対象と（２―１−１）の様なヒートシンクとの間をつなぐ素材である放熱グリス、ペーストであり、熱伝導が良いことが望ましい。放熱グリス、ペーストを構成する材料として、以下の材料を例示するがこれらに限られない。
・溶剤：シリコーングリース（ポリシロキサン化合物）
・導伝剤：酸化亜鉛、銀ナノ粒子、ナノダイヤモンド、カーボンブラック、シリコンナノ粒子
【符号の説明】
【０１２９】
５１    アルミ箔
５２    正極活物質  （母材）
５３    ＡＢ        （伝導素材）
５４    グラフェン様黒鉛
【要約】
伝導性に優れる複合伝導素材を提供する。
母材に少なくとも黒鉛系炭素素材から剥離されたグラフェン様と伝導素材とが分散された複合伝導素材であって、
前記黒鉛系炭素素材は、菱面晶系黒鉛層（３Ｒ）と六方晶系黒鉛層（２Ｈ）とを有し、前記菱面晶系黒鉛層（３Ｒ）と前記六方晶系黒鉛層（２Ｈ）とのＸ線回折法による次の（式１）により定義される割合Ｒａｔｅ（３Ｒ）が３１％以上であることを特徴とする複合伝導素材。
Ｒａｔｅ（３Ｒ）＝Ｐ３／（Ｐ３＋Ｐ４）×１００・・・・（式１）
ここで、
Ｐ３は菱面晶系黒鉛層（３Ｒ）のＸ線回折法による（１０１）面のピーク強度
Ｐ４は六方晶系黒鉛層（２Ｈ）のＸ線回折法による（１０１）面のピーク強度
である。【図１】
0005777195.tif 000013
【図２】
0005777195.tif 000014
【図３】
0005777195.tif 000015
【図４】
0005777195.tif 000016
【図５】
0005777195.tif 000017
【図６】
0005777195.tif 000018
【図７】
0005777195.tif 000019
【図８】
0005777195.tif 000020
【図１１】
0005777195.tif 000021
【図１２】
0005777195.tif 000022
【図１３】
0005777195.tif 000023
【図１４】
0005777195.tif 000024
【図１５】
0005777195.tif 000025
【図１６】
0005777195.tif 000026
【図１７】
0005777195.tif 000027
【図１８】
0005777195.tif 000028
【図１９】
0005777195.tif 000029
【図２０】
0005777195.tif 000030
【図２１】
0005777195.tif 000031
【図２４】
0005777195.tif 000032
【図２５】
0005777195.tif 000033
【図２８】
0005777195.tif 000034
【図９】
0005777195.tif 000035
【図１０】
0005777195.tif 000036
【図２２】
0005777195.tif 000037
【図２３】
0005777195.tif 000038
【図２６】
0005777195.tif 000039
【図２７】
0005777195.tif 000040